(57)【要約】【課題】  薄型化を図るためにレンズホルダの一側面に切り欠き部を設けた場合であっても、レンズホルダの剛性を確保することにより高次共振の振動レベルを低減する光ヘッド装置を提案すること。【解決手段】  レンズホルダ１１は、対物レンズ６が保持されたレンズ保持部１１０を有するとともにレンズ保持部１１０からフォーカシング方向に延設された壁部１１３、１１３を有し、この壁部１１３、１１３に、基端がホルダ支持部材１１３に支持されレンズホルダ１１を変位可能に支持する６本のワイヤ１２の先端が固定されるとともにフォーカシング方向に切り欠かれた切り欠き部１１１を有している。この切り欠き部１１１には、１／４波長板４が配設され、タンジェンシャル方向から入射し、１／４波長板４を経て内部に導かれたレーザ光が立上げミラー５によって対物レンズ６側へ偏向させている。【選択図】  図３
2007035207.tif 000002
【特許請求の範囲】
【請求項１】
レーザ光を出射するレーザ光源と、該レーザ光源から出射されたレーザ光を光記録媒体に導く対物レンズを保持するレンズホルダと、前記レンズホルダが変位可能に配置された固定側部材と、前記レンズホルダを所定方向に駆動する磁気駆動機構とを有する光ヘッド装置において、
前記レンズホルダは、前記対物レンズが保持されたレンズ保持部を有するとともに該レンズ保持部からフォーカシング方向に延設された壁部を有し、
該壁部には、基端が固定側部材に支持され前記レンズホルダを変位可能に支持するワイヤの先端が固定されるとともにフォーカシング方向に切り欠かれた切り欠き部を有し、該切り欠き部に光学素子が配設されていることを特徴とする光ヘッド装置。
【請求項２】
請求項１において、前記光学素子を経た前記レーザ光を前記対物レンズ側に偏向させる偏向素子を有し、該偏向素子と前記光学素子とがフォーカシング方向に重合していることを特徴とする光ヘッド装置。
【請求項３】
請求項１または２において、前記壁部には、前記固定側部材に配設された前記磁気駆動機構としての前記駆動コイルおよび前記駆動マグネットのいずれか一方と対向する前記駆動コイルおよび前記駆動マグネットのいずれか他方が固定されていることを特徴とする光ヘッド装置。
【請求項４】
請求項３において、前記切り欠き部には、前記駆動コイルが配設されていることを特徴とする光ヘッド装置。
【請求項５】
請求項４において、前記切り欠き部には、前記駆動コイルの有効辺が配設されていることを特徴とする光ヘッド装置。
【請求項６】
請求項１ないし５のいずれかにおいて、前記光学素子は、波長板であることを特徴とする光ヘッド装置。
【請求項７】
請求項３ないし６のいずれかにおいて、前記コイルは、対物レンズを挟んでトラッキング方向の両側に配設される一対のフォーカシング駆動コイルであって、該一対のフォーカシング駆動コイルの有効辺と同一な平面内に前記光学素子が配設されていることを特徴とする光ヘッド装置。
【請求項８】
請求項１ないし７のいずれかにおいて、前記切り欠き部には、トラッキング方向に離間した位置で、フォーカシング方向に延設された一対の延設部を有し、該延設部の互いに対向した対抗面に前記光学素子の両端がそれぞれ固定されていることを特徴とする光ヘッド装置。
【請求項９】
請求項８において、前記一対のフォーカシング駆動コイルは、それぞれ前記延設部を挟んで前記光学素子と近接配置されていることを特徴とする光ヘッド装置。
【発明の詳細な説明】
【技術分野】
【０００１】
本発明は、ＣＤやＤＶＤなどの光記録ディスクの再生、記録に用いられる光ヘッド装置に関するものである。
【背景技術】
【０００２】
光ディスク装置において、フォーカシング方向とトラッキング方向に駆動するための対物レンズ駆動装置の薄型化を図るために、光ディスクの記録面上に光を集光する対物レンズおよび対物レンズの下方に対物レンズへの入射光束を折り曲げる立上げミラーを配置する構成が知られている（例えば特許文献１参照）。
【０００３】
上記公報によると、レンズホルダには、対物レンズを挟んでトラッキング方向の両側に第１および第２のボビン部が形成され、そのボビン部間を上部の連結部により連結することにより、この連結部の下方に空間を構成している。
【０００４】
そして、第１および第２のボビン部に対応して、それぞれ磁気回路を形成することにより、下方の空間に立上げミラーを配置しながら、立上げミラーへの光路を確保する構成とした上で、連結部の上方に補強部を形成する構成としている。
【特許文献１】特開平１１−１７５９９２号公報
【発明の開示】
【発明が解決しようとする課題】
【０００５】
近年、光ディスク装置では、データ転送速度の高速化が進められており、その高速化を実現する一手法として、光ディスクの回転数の向上が図られている。
【０００６】
対物レンズで集光されたスポットは、常にフォーカシング方向とトラッキング方向に位置決めする必要があり、光ディスクの回転数の向上に合わせて、フォーカシングとトラッキングの制御帯域を高めなければならない。
【０００７】
そして、安定した制御を実現するためには、対物レンズ駆動装置の高次共振周波数を、高める必要がある。ところで、対物レンズ駆動装置の高次共振は、レンズホルダ部分の弾性共振であるため、高次共振周波数を向上させるためには、レンズホルダの高剛性化を図る必要がある。
【０００８】
しかしながら、上記公報に開示された対物レンズ駆動装置では、高さ方向に補強部を形成する必要があり、装置の薄型化が進んだ場合には、補強部の寸法を十分に確保できず、レンズホルダの剛性向上が難しいという問題があった。
【０００９】
以上の問題点に鑑みて、本発明の課題は、薄型化を図るためにレンズホルダの一側面に切り欠き部を設けた場合であっても、レンズホルダの剛性を確保することにより高次共振の振動レベルを低減する光ヘッド装置を提案することにある。
【課題を解決するための手段】
【００１０】
上記課題を解決するために、本発明では、レーザ光を出射するレーザ光源と、該レーザ光源から出射されたレーザ光を光記録媒体に導く対物レンズを保持するレンズホルダと、前記レンズホルダが変位可能に配置された固定側部材と、前記レンズホルダを所定方向に駆動する磁気駆動機構とを有する光ヘッド装置において、前記レンズホルダは、前記対物レンズが保持されたレンズ保持部を有するとともに該レンズ保持部からフォーカシング方向に延設された壁部を有し、該壁部には、基端が固定側部材に支持され前記レンズホルダを変位可能に支持するワイヤの先端が固定されるとともにフォーカシング方向に切り欠かれた切り欠き部を有し、該切り欠き部に光学素子が配設されていることを特徴とする。
【００１１】
本発明では、前記光学素子を経た前記レーザ光を前記対物レンズ側に偏向させる偏向素子を有し、該偏向素子と前記光学素子とがフォーカシング方向に重合していることが好ましい。このように構成すると、光学素子を透過したレーザ光をタンジェンシャル方向から偏向器に導くことによって、光ヘッド装置をフォーカシング方向に効率良く短縮することができる。
【００１２】
本発明において、前記壁部には、前記固定側部材に配設された前記磁気駆動機構としての前記駆動コイルおよび前記駆動マグネットのいずれか一方と対向する前記駆動コイルおよび前記駆動マグネットのいずれか他方を固定してもよい。
【００１３】
本発明において、前記切り欠き部には、前記駆動コイルが配設されていることが好ましい。このように構成すると、切り欠き部まで駆動コイルを配設することができる。従って、駆動コイルのターン数を稼ぐことができる。また、例えば、前記切り欠き部には、前記駆動コイルの有効辺が配設されていることが好ましく、このように構成することにより、壁部を介することなく駆動コイルを駆動マグネットに対向させることができる。故に、駆動マグネットの近傍まで駆動コイルを接近させることが可能となり、両者の磁気効率を向上させることができる。
【００１４】
本発明において、前記光学素子は、波長板であることが好ましい。波長板は、他の光学素子に比べ、取り付け精度に対する許容値が大きい。故に、レンズホルダに取り付け、移動させることができる。
【００１５】
本発明において、前記コイルは、対物レンズを挟んでトラッキング方向の両側に配設される一対のフォーカシング駆動コイルであって、該一対のフォーカシング駆動コイルの有効辺と同一な平面内に前記光学素子が配設されていることが好ましい。このように構成すると、光学素子を配設する内側の空間を大きくとれるので、この内側の空間内に光学素子を配設する作業を容易に行うことができる。
【００１６】
本発明において、前記切り欠き部には、トラッキング方向に離間した位置で、フォーカシング方向に延設された一対の延設部を有し、該延設部の互いに対向した対抗面に前記光学素子の両端がそれぞれ固定されていることが好ましい。このように構成すると、レンズホルダに対して光学素子をしっかり固定することができる。さらに、光学素子をコイルに直接固定した場合、コイルを固定した後でないと光学素子を固定することができないが、本発明のように光学素子を延設部に固定することによって、コイルを固定する前であっても光学素子を延設部に固定することにより作業手順の自由度を向上させることができる。しかも、コイルに直接固定した場合に比べ、コイルからの発熱が直接、光学素子に伝達されないので、光学素子の光学特性の変化等が発生しない。また、前記駆動コイルと前記光学素子とを延設部を挟んで近接配置することにより、レンズホルダの小型化が図れる。
【発明の効果】
【００１７】
本発明において、レンズホルダは、対物レンズが保持されたレンズ保持部を有するとともにレンズ保持部からフォーカシング方向に延設された壁部を有し、この壁部には、基端が固定側部材に支持されレンズホルダを変位可能に支持するワイヤの先端が固定されるとともにフォーカシング方向に切り欠かれた切り欠き部を有しているので、この切り欠き部を通してレーザ光を内部に導くことにより光ヘッド装置の薄型化を図ることができる。しかも、壁部に切り欠き部を設けた場合であっても、切り欠き部に光学素子が配設されているので、レンズホルダの剛性を確保可能となり、高次共振の振動レベルを低減することができる。
【発明を実施するための最良の形態】
【００１８】
以下に、図面を参照して、本発明を適用した光ヘッド装置の一例を説明する。
【００１９】
（全体構成）
図１は、本発明が適用される光ヘッド装置の光学系を示す概略構成図である。図２は、本発明を適用した光ヘッド装置を斜め上方から見た斜視図である。図３（ａ）および（ｂ）はそれぞれ、図２に示す対物レンズ駆動装置のレンズホルダを抜き出し、対物レンズ搭載側から見た斜視図、および対物レンズ搭載側を上面としたとき、下面側から見た斜視図である。図４は、図２に示す対物レンズ駆動装置の磁気駆動機構などを抜き出して示す分解斜視図である。
【００２０】
図１に示す光ヘッド装置１は、ＣＤあるいはＤＶＤなど光記録媒体としての光記録ディスク９に対する情報記録、情報再生を行うものであり、レーザ光源２から出射されたレーザ光が、グレーティング７、ビームスプリッタ８をこの順に通過し、コリメートレンズ３で平行光化された後、１／４波長板４、立上げミラー５を経て対物レンズ６で集光されて光記録ディスク９の情報記録面に焦点を結ぶように構成されている。対物レンズ６は、ワイヤサスペンション方式の対物レンズ駆動装置１０によって、トラッキング方向、フォーカシング方向およびチルト方向の駆動が制御される。なお、光記録ディスク９で反射した戻り光は、対物レンズ６を通過して再び立上げミラー５で反射し、ビームスプリッタ８で部分反射された後、図示を省略するが、光検出器に入射する。駆動制御装置は、光検出器での受光量に基づき、情報再生処理を行うとともに、対物レンズ駆動装置１０を駆動制御して対物レンズ６のトラッキング方向、フォーカシング方向およびチルト方向の位置をサーボ制御するとともに、レーザ光源の駆動制御も行う。
【００２１】
対物レンズ駆動装置１０は、図２に示すように、対物レンズ６を保持するレンズホルダ１１と、このレンズホルダ１１の左右両側で上下３段に配置された６本のワイヤ１２によりレンズホルダ１１を変位可能に支持している固定側部材としてのホルダ支持部材１３と、このホルダ支持部材１３を固定保持するベース部材１４と、レンズホルダ１１を矢印Ｔｒで示すトラッキング方向、矢印Ｆｏで示すフォーカシング方向、および矢印Ｔｉで示すチルト方向に駆動するための磁気駆動機構１５を有している。
【００２２】
ここで、レンズホルダ１１の両側に配置された６本のワイヤ１２は、基端がホルダ支持部材１３に支持され、先端が、図３に示すように、対物レンズ６が保持されたレンズ保持部１１０からフォーカシング方向に延設された壁部１１３、１１３の外壁に固定されている。このように、レンズホルダ１１は６本のワイヤ１２により変位可能に支持されているため、磁気駆動機構１５によってトラッキング方向、フォーカシング方向、およびチルト方向に変位することができる。
【００２３】
さらに、ワイヤ１２は、後述するフォーカシング駆動コイル２１、トラッキング駆動コイル２２、およびチルト駆動コイル２３への給電ワイヤとしての機能も有しており、ワイヤ１２の基端側は、ホルダ支持部材１３の背面に取り付けられたプリント基板１７の配線パターンにハンダ等によりそれぞれ固定されている。また、ワイヤ１２の先端側は、レンズホルダ１１の壁部１１３、１１３の外壁に固着されている中継基板１８にハンダにより固定されている。図２に示すプリント基板１７にはフレキシブルプリント基板１９が接続され、外部から各駆動コイルに対する給電が行われる。
【００２４】
レンズホルダ１１は、レンズ保持部１１０の中央に対物レンズ６を保持しており、立上げミラー５への光路を確保するため、光記録ディスクの半径方向であるタンジェンシャル方向（矢印Ｔａで示す方向）から見たとき、逆凹の字形状を有している。換言すれば、レンズホルダ１１は、図４に示すように、立上げミラー５への光路を確保する切り欠き部１１１が形成されており、本形態の場合、この切り欠き部１１１に１／４波長板４、後述するフォーカシング駆動コイル２１の一部およびチルト駆動コイル２３の一部が配置されている。
【００２５】
また、ヨーク２５の内側では、立上げミラー５がヨーク２５の底板部２５１に接着剤などにより固定されている。このとき、立上げミラ−５は、１／４波長板４とフォーカシング方向に重合している。従って、１／４波長板４を透過したレーザ光をタンジェンシャル方向から立上げミラー５に導くことができる。なお、図３（ｂ）に示すように、１／４波長板４を挟んで、切り欠き部１１１の反対側にはレンズ保持部１１０からフォーカシング方向に延設された壁部１１４が形成されている。故に、立上げミラ−５は、四方が１／４波長板４、一対のフォーカシング駆動コイル２１、２１、および壁部１１４によって囲まれるように構成されている。
【００２６】
（磁気駆動機構１５の詳細な構成）
図５は、図２に示す対物レンズ駆動装置における磁気駆動回路を示す説明図である。なお、本形態の光ヘッド装置においては、トラッキング方向における両側に駆動コイルおよび駆動マグネットが同一の構成をもって配置されているので、図２ないし図５では、トラッキング方向における両側に配置された駆動コイルおよび駆動マグネットについては同一の符号を付してある。
【００２７】
図２ないし図５に示すように、磁気駆動機構１５は、レンズホルダ１１の側に搭載されたフォーカシング駆動コイル２１、トラッキング駆動コイル２２、およびチルト駆動コイル２３と、後述する複数の駆動マグネットと、ヨーク２５とを有している。
【００２８】
３種類の駆動コイルのうち、フォーカシング駆動コイル２１は、レンズホルダ１１のトラッキング方向Ｔｒで離間する位置にそれぞれ２個配置されている。２個のフォーカシング駆動コイル２１は、トラッキング方向Ｔｒに巻回されている第１辺部分２１ａと、タンジェンシャル方向Ｔａに巻回されている第２辺部分２１ｂと、トラッキング方向Ｔｒに巻回されている第３辺部分２１ｃと、タンジェンシャル方向Ｔａに巻回されている第４辺部分２１ｄとを備えている。本形態では、これらの辺部分２１ａ〜２１ｄのうち、タンジェンシャル方向で対向する第１辺部分２１ａおよび第３辺部分２１ｃが、後述する駆動マグネットと対向しており、第１辺部分２１ａが第１の有効辺として機能し、第３辺部分２１ｃが第２の有効辺として機能する。
【００２９】
チルト駆動コイル２３は、フォーカシング駆動コイル２１に同軸状に２個配置されている。このため、２個のチルト駆動コイル２３も、フォーカシング駆動コイル２１と同様、トラッキング方向Ｔｒに巻回されている第１辺部分２３ａと、タンジェンシャル方向Ｔａに巻回されている第２辺部分２３ｂと、トラッキング方向Ｔｒに巻回されている第３辺部分２３ｃと、タンジェンシャル方向Ｔａに巻回されている第４辺部分２３ｄとを備えている。本形態では、これらの辺部分２３ａ〜２３ｄのうち、タンジェンシャル方向で対向する第１辺部分２３ａおよび第３辺部分２３ｃが、後述する駆動マグネットと対向しており、第１辺部分２３ａが第１の有効辺として機能し、第３辺部分２３ｃが第２の有効辺として機能する。
【００３０】
また、トラッキング駆動コイル２２は、４個の平面コイルからなり、これらの４個の平面コイルは、トラッキング方向Ｔｒで離間する位置でフォーカシング駆動コイル２１およびチルト駆動コイル２３の外面に貼付されている。ここで、トラッキング駆動コイル２２は、４つの辺部分のうち、フォーカシング駆動コイル２１およびチルト駆動コイル２３の第１辺部分２１ａ、２３ａおよび第３辺部分２１ｃ、２３ｃと重なる部分が、後述する駆動マグネットと対向する。以下、タンジェンシャル方向で対向する２つのトラッキング駆動コイル２２のうち、一方のトラッキング駆動コイル２２において、フォーカシング駆動コイル２１およびチルト駆動コイル２３の第１辺部分２１ａ、２３ａと重なる辺部分２２ａを第１の有効辺とし、他方のトラッキング駆動コイル２２において、フォーカシング駆動コイル２１およびチルト駆動コイル２３の第３辺部分２１ｃ、２３ｃと重なる辺部分２２ｃを第２の有効辺とする。
【００３１】
ここで、切り欠き部１１１は、図３（ｂ）に示すように、レンズ保持部１１０の下面１１０ａからフォーカシング方向に延設された一対の延設部１１２、１１２を有している。この一対の延設部１１２、１１２は、延設部１１２、１１２の間に位置するレンズ保持部１１０の下面１１０ａとによって、フォーカシング方向の断面が逆凹の字形状に形成されており、そのトラッキング方向に対向した対抗面１１２ａ、１１２ａおよび下面１１０ａに、１／４波長板４のトラッキング方向の両端４ａ、４ａおよびフォーカシング方向の一端４ｂが、それぞれ接着固定されている。このとき、１／４波長板４によって反射したレーザ光が、レーザ光源２側に戻らないようにするため、光軸と垂直な面から５°程度傾けて固定されている。なお、１／４波長板４の固定方法としては、接着固定に限定されるものではなく、各種固定方法を採用することができる。例えば、１／４波長板４を一対の延設部１１２、１１２によって圧入固定させてもよいし、溶着等によって固定させてもよい。
【００３２】
また、切り欠き部１１１は、それぞれの延設部１１２、１１２において、１／４波長板４が固定された対抗面１１２ａ、１１２ａの裏側の裏面１１２ｂ、１１２ｂにフォーカシング駆動コイル２１の第４辺部分２１ｄおよびチルト駆動コイル２３の第４辺部分２３ｄがそれぞれ固着されている。従って、切り欠き部１１１には、フォーカシング駆動コイル２１の第１辺部分２１ａおよびチルト駆動コイル２３の第１辺部分２３ａが配設されており、フォーカシング駆動コイル２１の第１辺部分２１ａおよびチルト駆動コイル２３の第１辺部分２３ａと同一な平面内に１／４波長板４が配設されるようになっている。ただし、切り欠き部１１１には、必ずしもフォーカシング駆動コイル２１およびチルト駆動コイル２３を配設させる必要はない。
【００３３】
本形態において、フォーカシング駆動コイル２１、トラッキング駆動コイル２２、およびチルト駆動コイル２３の各有効辺に対して鎖交する磁束を発生させるために、以下に説明する４つの駆動マグネットがトラッキング方向における両側に各々配置されている。
【００３４】
まず、第１の有効辺（フォーカシング駆動コイル２１の第１辺部分２１ａ、チルト駆動コイル２３の第１辺部分２３ａ、およびトラッキング駆動コイル２２の辺部分２２ａ）に対しては、その外側に第１の外側マグネット２６が対向配置され、内側には第１の内側マグネット２８が対向配置されている。また、第２の有効辺（フォーカシング駆動コイル２１の第３辺部分２１ｃ、チルト駆動コイル２３の第３辺部分２３ｃ、およびトラッキング駆動コイル２２の辺部分２２ｃ）に対しては、その外側に第２の外側マグネット２７が対向配置され、内側には第２の内側マグネット２９が対向配置されている。
【００３５】
このようにして、第１の外側マグネット２６は、フォーカシング駆動コイル２１、チルト駆動コイル２３、およびトラッキング駆動コイル２２の各第１の有効辺に対して第２の有効辺とは反対側に配置され、第１の内側マグネット２８は、第１の有効辺を間に挟んで第１の外側マグネット２６に対向配置されている。また、第２の外側マグネット２７は、フォーカシング駆動コイル２１、チルト駆動コイル２３、およびトラッキング駆動コイル２２の各第２の有効辺に対して第１の有効辺とは反対側に配置され、第２の内側マグネット２９は、第１の有効辺を間に挟んで第２の外側マグネット２７に対向配置されている。
【００３６】
ここで、第１の外側マグネット２６と第１の内側マグネット２８は互いに異なる極が対向し、第２の外側マグネット２７と第２の内側マグネット２９は互いに異なる極が対向している。また、第１の外側マグネット２６と第２の外側マグネット２７は互いに同一の極、本形態ではＮ極を内側に向けているため、第１の内側マグネット２８における第１の外側マグネット２６と対向する側の端部、および第２の内側マグネット２９における第２の外側マグネット２７と対向する側の端部はいずれも、本形態ではＳ極である。従って、本形態において、第１の内側マグネット２８における第１の外側マグネット２６と対向する側とは反対側の端部と、第２の内側マグネット２９における第２の外側マグネット２７と対向する側とは反対側の端部とは、同一の極、本形態ではＮ極を内側に向けている。
【００３７】
本形態において、ヨーク２５は、ベース部材１４とともに光ヘッド装置１の装置フレーム（図示せず）への固定側部材としても用いられ、ヨーク２５の上方にはレンズホルダ１１が変位可能に配置されている。ここで、ヨーク２５は、薄板状の磁性板をプレス加工することにより形成され、ベース部材１４上に搭載される底板部２５１と、底板部２５１からレンズホルダ１１を挟むように立上げられた２つの外側マグネット保持部２５２、２５３と、底板部２５１から外側マグネット保持部２５２、２５３の内側の面に対向する位置に立上げられた内側マグネット保持部２５４とを備えている。ここで、２つの外側マグネット保持部２５２、２５３は各々、第１の外側マグネット２６および第２の外側マグネット２７のバックヨークとして機能している。
【００３８】
これに対して、内側マグネット保持部２５４は、第１の内側マグネット２８および第２の内側マグネット２９に対して共通のバックヨークとして機能している。また、第１の内側マグネット２８における第１の外側マグネット２６と対向する側とは反対側の端部と、第２の内側マグネット２９における第２の外側マグネット２７と対向する側とは反対側の端部はいずれも、同一の極（例えば、Ｎ極）を内側に向けているため、内側マグネット保持部２５４は、第１の内側マグネット２８と第２の内側マグネット２９とを離間させ、所定位置に固定する機能も担っている。
【００３９】
（本形態の作用および効果）
このように構成した光ヘッド装置１の対物レンズ駆動装置１０において、レンズホルダ１１は、対物レンズ６が保持されたレンズ保持部１１０を有するとともにレンズ保持部１１０からフォーカシング方向に延設された壁部１１３、１１３を有し、この壁部１１３、１１３には、基端がホルダ支持部材１１３に支持されレンズホルダ１１を変位可能に支持する６本のワイヤ１２の先端が固定されるとともにフォーカシング方向に切り欠かれた切り欠き部１１１を有している。この切り欠き部１１１には、１／４波長板４が配設され、タンジェンシャル方向から入射し、１／４波長板４を経て内部に導かれたレーザ光が立上げミラー５によって対物レンズ６側へ偏向させている。このとき、１／４波長板４と立上げミラー５とはフォーカシング方向に重合している。故に、光ヘッド装置１をフォーカシング方向に効率良く短縮することができる。しかも壁部１１３、１１３に切り欠き部１１１を設けた場合であっても、切り欠き部１１１に１／４波長板４が配設されているので、レンズホルダ１１の剛性を確保可能となり、高次共振の振動レベルを低減することができる。
【００４０】
本形態において、前記切り欠き部１１１には、フォーカシング駆動コイル２１の第１辺部分２１ａおよびチルト駆動コイル２３の第１辺部分２３ａが配設されているので、切り欠き部１１１まで駆動コイルを配設することができる。従って、フォーカシング駆動コイル２１およびチルト駆動コイル２３のターン数を稼ぐことができる。また、壁部を介することなくフォーカシング駆動コイル２１およびチルト駆動コイル２３の有効辺を駆動マグネット２６に対向させることができる。故に、駆動マグネット２６の近傍までフォーカシング駆動コイル２１およびチルト駆動コイル２３の有効辺を接近させることが可能となり、両者の磁気効率を向上させることができる。
【００４１】
本形態において、切り欠き部１１１には、トラッキング方向に離間した位置で、フォーカシング方向に延設された一対の延設部１１３、１１３を有し、この延設部１１３、１１３の互いに対向した対抗面１１２ａ、１１２ａに１／４波長板４の両端がそれぞれ固定されているので、レンズホルダ１１に対して１／４波長板４をしっかり固定することができる。１／４波長板４を延設部１１３、１１３に固定することにより、フォーカス駆動コイル２１やチルト駆動コイル２３を固定する前であっても１／４波長板４の固定作業を行うことができるので固定作業の自由度を向上させることができる。しかも、１／４波長板４をフォーカス駆動コイル２１やチルト駆動コイル２３に直接固定した場合に比べ、コイルからの発熱が直接１／４波長板４に伝達されないので、１／４波長板４の光学特性の変化や、１／４波長板４の接着剥がれ等発生することがない。
【００４２】
（その他の実施の形態）
なお、上述の実施形態は本発明の好適な実施の一例ではあるがこれに限定されるもので
はなく、本発明の要旨を逸脱しない範囲において種々変形実施可能である。例えば、上記
形態の切り欠き部１１１には、延設部１１３、１１３を有しているが、必ずしも延設部１１３、１１３は必要ではなく、延設部１１３、１１３を設けないで、フォーカス駆動コイル２１やチルト駆動コイル２３に１／４波長板４を直接固定させるようにしてもよい。
【図面の簡単な説明】
【００４３】
【図１】本発明が適用される光ヘッド装置の光学系を示す概略構成図である。
【図２】本発明を適用した光ヘッド装置を斜め上方から見た斜視図である。
【図３】（ａ）および（ｂ）はそれぞれ、図２に示す対物レンズ駆動装置のレンズホルダを抜き出し、対物レンズ搭載側から見た斜視図、および対物レンズ搭載側を上面としたとき、下面側から見た斜視図である。
【図４】図２に示す対物レンズ駆動装置の磁気駆動機構などを抜き出して示す分解斜視図である。
【図５】図２に示す対物レンズ駆動装置における磁気駆動回路を示す説明図である。
【符号の説明】
【００４４】
１  光ヘッド装置
２  レーザ光源
４  １／４波長板
５  立上げミラー
６  対物レンズ
９  光記録ディスク
１０  対物レンズ駆動装置
１１  レンズホルダ
１１０  レンズ保持部
１１１  切り欠き部
１１３  壁部
１２  ワイヤ
１３  ホルダ支持部材
１５  磁気駆動機構
２１  フォーカシング駆動コイル
２２  トラッキング駆動コイル
２３  チルト駆動コイル
２５  ヨーク（固定側部材）
２６  第１の外側マグネット
２７  第２の外側マグネット
２８  第１の内側マグネット
２９  第２の内側マグネット
【図１】
2007035207.tif 000003
【図２】
2007035207.tif 000004
【図３】
2007035207.tif 000005
【図４】
2007035207.tif 000006
【図５】
2007035207.tif 000007